【手続補正書】
【提出日】平成29年2月15日(2017.2.15)
【手続補正１】
【補正対象書類名】特許請求の範囲
【補正対象項目名】全文
【補正方法】変更
【補正の内容】
【特許請求の範囲】
【請求項１】
椎体置換デバイスであって、
内部空洞を画定する第１の筐体と、
前記第１の筐体の内部空洞の少なくとも一部の中に入れ子になる第２の筐体であって、前記第２の筐体は、長手方向に沿って移動可能であり、前記椎体置換デバイスの高さを増加させる、第２の筐体と、
前記椎体置換デバイスの拡張を可能にしながら、前記椎体置換デバイスの収縮を防止するための手段と、
第１の骨接触表面を有する第１の骨接触部材と、
第２の骨接触表面を有する第２の骨接触部材と
を備える、椎体置換デバイス。
【請求項２】
前記第２の筐体および第１の筐体は、骨移植片材料の留置のための移植片空洞を画定する、請求項１に記載の椎体置換デバイス。
【請求項３】
前記第１の骨接触部材は、前記第１の筐体の上部の一部に枢動可能に接続され、前記第１の骨接触部材が、前方向または後方向のいずれかに角形成されることを可能にする、請求項１に記載の椎体置換デバイス。
【請求項４】
前記第２の骨接触部材は、前記第２の筐体の下部の一部に枢動可能に接続され、前記第２の骨接触部材が、前方向または後方向のいずれかに角形成されることを可能にする、請求項１に記載の椎体置換デバイス。
【請求項５】
前記第１の骨接触表面および第２の骨接触表面のうちの少なくとも１つは、隣接骨構造に係合するように構成される複数のスパイクを画定する、請求項１に記載の椎体置換デバイス。
【請求項６】
前記第１の筐体は、歯状内部表面を備え、前記第２の筐体は、前記第１の筐体の歯状内部表面に相補的である歯状外部表面を備え、前記２つの歯状表面の係合は、前記椎体置換デバイスの後退を防止しながら、前記椎体置換デバイスの拡張を可能にする、請求項１に記載の椎体置換デバイス。
【請求項７】
前記第１の筐体の外部表面に係合し、前記第２の筐体に対して前記第１の筐体の移動を制限するように構成される、保持部材をさらに備える、請求項１に記載の椎体置換デバイス。
【請求項８】
前記保持部材は、少なくとも部分的に、前記第１の筐体の周囲に巻着し、前記第１の筐体の外部表面の少なくとも一部に係合するように構成される、ｃリングを備える、請求項７に記載の椎体置換デバイス。
【請求項９】
椎体置換デバイスであって、
歯状表面を備える内部表面を有する第１のスリーブと、
前記歯状表面に相補的である外部表面を有する第２のスリーブと
を備え、前記第１のスリーブおよび第２のスリーブは、後退位置から拡張位置まで相互に対して長手方向に移動するように構成され、前記第１のスリーブおよび第２のスリーブは、内部空洞を画定する、椎体置換デバイス。
【請求項１０】
前記歯状表面は、複数の歯を備え、各歯は、カム表面および平坦表面を備える、請求項９に記載の椎体置換デバイス。
【請求項１１】
前記椎体置換デバイスが、前記後退位置から前記拡張位置まで移動されるとき、前記歯のうちの少なくとも１つのカム表面は、前記第２のスリーブの外部表面の一部のその上に摺動し、前記第１のスリーブが、前記第２のスリーブに対して摺動することを可能にし、前記椎体置換デバイスが、前記拡張位置から前記後退位置まで移動されるとき、前記歯のうちの少なくとも１つの平坦表面は、前記第２のスリーブの外部表面の一部に係合し、実質的に、そのような移動を防止する、請求項１０に記載の椎体置換デバイス。
【請求項１２】
前記第２のスリーブの外部表面は、相補的に歯状であり、前記歯状表面は、相補的に対向し、前記拡張方向では、前記第２のスリーブ上の歯のカム表面は、前記第１のスリーブ上の歯のカム表面と噛合し、前記後退方向では、前記第２のスリーブ上の歯の平坦表面は、前記第１のスリーブ上の歯の平坦表面に係合することを意味し、前記２つのスリーブが、歯止め様式で前記拡張方向に移動することを可能にし、前記２つのスリーブが前記後退方向に移動することを防止する、請求項１１に記載の椎体置換デバイス。
【請求項１３】
前記第１のスリーブは、歯状内部表面を備え、前記第２のスリーブは、１つまたはそれを上回る相補的陥凹を備え、前記陥凹は、前記第１の表面の歯のうちの少なくとも１つの平坦表面を補完する、平坦内部縁部を有する、請求項１１に記載の椎体置換デバイス。
【請求項１４】
前記第２のスリーブの上部に蝶着取着される上側骨接触部材と、前記第１のスリーブの下部に蝶着取着される下側骨接触部材とをさらに備え、前記隣接椎体を補完するために骨接触部材の角形成を可能にする、請求項９に記載の椎体置換デバイス。
【請求項１５】
前記第１のスリーブおよび第２のスリーブは、相互に中に入れ子になり、支柱窓を画定し、前記椎体置換デバイスはさらに、前記支柱窓を介して、前記内部空洞の中に留置される、前記内部空洞内に嵌合するように構成される支柱を備え、前記支柱の上部が、角度付けされ、前記上側骨接触部材の一部に係合し、前記支柱の底部が、角度付けされ、前記下側骨接触部材の一部に係合し、前湾のための所望の角度において前記上側骨接触部材および下側骨接触部材を留置する、請求項１４に記載の椎体置換デバイス。
【請求項１６】
前記支柱は、前記内部空洞のその中に位置付けられるとき、実質的に、前記椎体置換デバイスが前記拡張位置から前記後退位置まで移動することを防止する、請求項１５に記載の椎体置換デバイス。
【請求項１７】
椎体置換デバイスであって、
内部空洞を画定し、内部歯状表面を有する、外側筐体と、
前記外側筐体の内部空洞の少なくとも一部の中に入れ子になる内側筐体であって、前記内側筐体は、長手方向に沿って移動可能であり、前記椎体置換デバイスの高さを増加させる、内側筐体と、
前記内側筐体の一部と取り外し可能に係合可能である保持部材であって、前記保持部材は、前記外側筐体の内部歯状表面にカム作用され、かつそれに相補的である、少なくとも１つの外側縁部を画定し、前記保持部材は、前記内側筐体と係合して位置付けられるとき、前記椎体置換デバイスの収縮を防止しながら、前記椎体置換デバイスの拡張を可能にする、保持部材と、
上側骨接触表面を有する上側骨接触部材と、
下側骨接触表面を有する下側骨接触部材と
を備える、椎体置換デバイス。
【請求項１８】
前記内側筐体および外側筐体は、骨移植片材料の留置のための移植片空洞を画定する、請求項１７に記載の椎体置換デバイス。
【請求項１９】
前記上側骨接触部材は、前記外側筐体の上部の一部に枢動可能に接続され、前記上側骨接触部材が、前方向または後方向のいずれかに角形成されることを可能にする、請求項１７に記載の椎体置換デバイス。
【請求項２０】
前記下側骨接触部材は、前記内側筐体の下部の一部に枢動可能に接続され、前記下側骨接触部材が、前記前方向または後方向のいずれかに角形成されることを可能にする、請求項１７に記載の椎体置換デバイス。
【請求項２１】
前記上側接触部材および下側骨接触部材のうちの少なくとも１つは、前記それぞれの上側骨接触部材または下側骨接触部材を所望の角度位置に係止するための手段を備える、請求項２０に記載の椎体置換デバイス。
【請求項２２】
前記それぞれの上側骨接触部材または下側骨接触部材を所望の角度位置に係止するための前記手段は、前記それぞれの骨接触部材と前記それぞれの骨接触部材が接続される前記筐体との間に、取り外し可能に位置付けられるように構成される、楔合部材を備える、請求項２１に記載の椎体置換デバイス。
【請求項２３】
前記上側接触表面および下側接触表面のうちの少なくとも１つは、隣接骨構造に係合するように構成される、複数の表面突起部を画定する、請求項１７に記載の椎体置換デバイス。
【請求項２４】
前記複数の表面突起部は、非展開状態から移動することができる、スパイクであり、実質的に、前記スパイクの全ては、展開状態に対して、前記それぞれの接触表面の下方にあり、前記スパイクの少なくとも一部は、前記それぞれの接触表面の上方に延在する、請求項２３に記載の椎体置換デバイス。
【請求項２５】
前記スパイクを展開するための手段をさらに備える、請求項２４に記載の椎体置換デバイス。
【請求項２６】
椎体を置換するためのシステムであって、前記システムは、
拡張可能な椎体置換デバイスであって、
内部空洞を画定し、内部歯状表面を有する、外側筐体と、
前記外側筐体の内部空洞の少なくとも一部の中に入れ子になる内側筐体であって、前記内側筐体は、長手方向に沿って移動可能であり、前記拡張可能な椎体置換デバイスの高さを増加させる、内側筐体と、
前記内側筐体の一部と取り外し可能に係合可能である保持部材であって、前記保持部材は、前記外側筐体の内部歯状表面にカム作用され、かつそれに相補的である、少なくとも１つの外側縁部を画定し、前記保持部材は、前記内側筐体と係合して位置付けられるとき、前記拡張可能な椎体置換デバイスの収縮を防止しながら、前記椎体置換デバイスの拡張を可能にする、保持部材と、
上側骨接触表面を有する上側骨接触部材と、
下側骨接触表面を有する下側骨接触部材と、
を備える、拡張可能椎体置換デバイスと、
椎体置換拡張ツールと
を備える、システム。
【請求項２７】
前記内側筐体および外側筐体は、骨移植片材料の留置のための移植片空洞を画定する、請求項２６に記載のシステム。
【請求項２８】
前記上側骨接触部材は、前記外側筐体の上部の一部に枢動可能に接続され、前記上側骨接触部材が、前方向または後方向のいずれかに角形成されることを可能にし、前記下側骨接触部材は、前記内側筐体の下部の一部に枢動可能に接続され、前記下側骨接触部材が、前方向または後方向のいずれかに角形成されることを可能にする、請求項２６に記載のシステム。
【請求項２９】
前記椎体置換拡張ツールは、
第１のハンドルおよび対向する第２のハンドルを有する作動部材であって、前記第１のハンドルおよび第２のハンドルは、蝶着点において蝶着結合され、前記蝶着点は、前記第１のハンドルおよび第２のハンドルのそれぞれの近位端と遠位端との間に位置付けられる、作動部材と、
前記作動部材に結合される平準化部材であって、前記平準化部材は、上側平準化部材および下側平準化部材を有し、前記上側平準化部材および下側平準化部材は、剪刀部材によって分離かつ接続され、前記剪刀部材は、実質的に、それらの中間区分にピン留めされる、第１の剪刀アームおよび第２の剪刀アームを備え、前記第１の剪刀アームの近位端は、前記上側平準化部材の近位端にピン留めされ、前記第１の剪刀アームの遠位端は、摺動関係において、前記下側平準化部材内に画定される伸長スロットに係合するように構成されるピンを備え、前記第２の剪刀アームの近位端は、前記下側平準化部材の近位端にピン留めされ、前記第２の剪刀アームの遠位端は、前記上側平準化部材の近位端が前記下側平準化部材の近位端から分離されるにつれて、前記上側平準化部材の遠位端もまた、前記下側平準化部材の遠位端から高められ、かつ等しく分離されるように、摺動関係において、前記上側平準化部材内に画定される伸長スロットに係合するように構成されるピンを備える、平準化部材と
を備える、請求項２８に記載のシステム。
【請求項３０】
前記第１のハンドルの遠位端は、前記上側平準化部材の近位端に蝶着接続され、前記第２のハンドルの遠位端は、前記下側平準化部材の近位端に蝶着接続されることができる、請求項２９に記載のシステム。
【請求項３１】
前記上側平準化部材および下側平準化部材の遠位端は、それぞれ、フォークを備え、前記拡張可能な椎体置換デバイスの部分に係合し、それによって、使用時、第１の分離位置から第２の圧縮位置までの前記作動部材のハンドルの圧縮は、前記平準化部材を相互に実質的に隣接する位置から分離位置まで移動させる、請求項２９に記載のシステム。
【手続補正２】
【補正対象書類名】明細書
【補正対象項目名】０００７
【補正方法】変更
【補正の内容】
【０００７】
関連方法もまた、提供される。拡張可能ＶＢＲデバイスおよびその使用方法の他の装置、方法、システム、特徴、および利点は、当業者に明白である、または以下の図および発明を実施するための形態の検討に応じて、明白となるであろう。全てのそのような付加的装置、方法、システム、特徴、および利点は、本説明内に含まれ、拡張可能ＶＢＲデバイスおよびその使用方法の範囲であって、添付の請求項によって保護されることが意図される。
本願明細書は、例えば、以下の項目も提供する。
（項目１）
椎体置換デバイスであって、
内部空洞を画定する第１の筐体と、
前記第１の筐体の内部空洞の少なくとも一部の中に入れ子になる第２の筐体であって、長手方向に沿って移動可能であり、前記椎体置換デバイスの高さを増加させる、第２の筐体と、
前記椎体置換デバイスの拡張を可能にしながら、前記椎体置換デバイスの収縮を防止するための手段と、
第１の骨接触表面を有する第１の骨接触部材と、
第２の骨接触表面を有する第２の骨接触部材と、
を備える、椎体置換デバイス。
（項目２）
前記第２の筐体および第１の筐体は、骨移植片材料の留置のための移植片空洞を画定する、項目１に記載の椎体置換デバイス。
（項目３）
前記第１の骨接触部材は、前記第１の筐体の上部の一部に枢動可能に接続され、前記第１の骨接触部材が、前方向または後方向のいずれかに角形成されることを可能にする、項目１に記載の椎体置換デバイス。
（項目４）
前記第２の骨接触部材は、前記第２の筐体の下部の一部に枢動可能に接続され、前記第２の骨接触部材が、前方向または後方向のいずれかに角形成されることを可能にする、項目１に記載の椎体置換デバイス。
（項目５）
前記第１の骨接触表面および第２の骨接触表面のうちの少なくとも１つは、隣接骨構造に係合するように構成される複数のスパイクを画定する、項目１に記載の椎体置換デバイス。
（項目６）
前記第１の筐体は、歯状内部表面を備え、前記第２の筐体は、前記第１の筐体の歯状内部表面に相補的である歯状外部表面を備え、前記２つの歯状表面の係合は、前記椎体置換デバイスの後退を防止しながら、前記椎体置換デバイスの拡張を可能にする、項目１に記載の椎体置換デバイス。
（項目７）
前記第１の筐体の外部表面に係合し、前記第２の筐体に対して前記第１の筐体の移動を制限するように構成される、保持部材をさらに備える、項目１に記載の椎体置換デバイス。
（項目８）
前記保持部材は、少なくとも部分的に、前記第１の筐体の周囲に巻着し、前記第１の筐体の外部表面の少なくとも一部に係合するように構成される、ｃリングを備える、項目７に記載の椎体置換デバイス。
（項目９）
椎体置換デバイスであって、
歯状表面を備える内部表面を有する第１のスリーブと、
前記歯状表面に相補的である外部表面を有する第２のスリーブと、
を備え、前記第１のスリーブおよび第２のスリーブは、後退位置から拡張位置まで相互に対して長手方向に移動するように構成され、前記第１のスリーブおよび第２のスリーブは、内部空洞を画定する、
椎体置換デバイス。
（項目１０）
前記歯状表面は、複数の歯を備え、各歯は、カム表面および平坦表面を備える、項目９に記載の椎体置換デバイス。
（項目１１）
前記椎体置換デバイスが、前記後退位置から前記拡張位置まで移動されるとき、前記歯のうちの少なくとも１つのカム表面は、前記第２のスリーブの外部表面の一部のその上に摺動し、前記第１のスリーブが、前記第２のスリーブに対して摺動することを可能にし、前記椎体置換デバイスが、前記拡張位置から前記後退位置まで移動されるとき、前記歯のうちの少なくとも１つの平坦表面は、前記第２のスリーブの外部表面の一部に係合し、実質的に、そのような移動を防止する、項目１０に記載の椎体置換デバイス。
（項目１２）
前記第２のスリーブの外部表面は、相補的に歯状であり、前記歯状表面は、相補的に対向し、前記拡張方向では、前記第２のスリーブ上の歯のカム表面は、前記第１のスリーブ上の歯のカム表面と噛合し、前記後退方向では、前記第２のスリーブ上の歯の平坦表面は、前記第１のスリーブ上の歯の平坦表面に係合することを意味し、前記２つのスリーブが、歯止め様式で前記拡張方向に移動することを可能にし、前記２つのスリーブが前記後退方向に移動することを防止する、項目１１に記載の椎体置換デバイス。
（項目１３）
前記第１のスリーブは、歯状内部表面を備え、前記第２のスリーブは、１つまたはそれを上回る相補的陥凹を備え、前記陥凹は、前記第１の表面の歯のうちの少なくとも１つの平坦表面を補完する、平坦内部縁部を有する、項目１１に記載の椎体置換デバイス。
（項目１４）
前記第２のスリーブの上部に蝶着取着される上側骨接触部材と、前記第１のスリーブの下部に蝶着取着される下側骨接触部材とをさらに備え、前記隣接椎体を補完するために骨接触部材の角形成を可能にする、項目９に記載の椎体置換デバイス。
（項目１５）
前記第１のスリーブおよび第２のスリーブは、相互に中に入れ子になり、支柱窓を画定し、前記椎体置換デバイスはさらに、前記支柱窓を介して、前記内部空洞の中に留置される、前記内部空洞内に嵌合するように構成される支柱を備え、前記支柱の上部が、角度付けされ、前記上側骨接触部材の一部に係合し、前記支柱の底部が、角度付けされ、前記下側骨接触部材の一部に係合し、前湾のための所望の角度において前記上側骨接触部材および下側骨接触部材を留置する、項目１４に記載の椎体置換デバイス。
（項目１６）
前記支柱は、前記内部空洞のその中に位置付けられるとき、実質的に、前記椎体置換デバイスが前記拡張位置から前記後退位置まで移動することを防止する、項目１５に記載の椎体置換デバイス。
（項目１７）
椎体を置換するための方法であって、
所望の運動区画にアクセスするステップと、
所望の椎体を除去するステップと、
前記除去された椎体の代わりに、拡張可能な椎体置換デバイスを位置付けるステップと、
前記拡張可能な椎体置換デバイスを拡張するステップと、
前記拡張可能な椎体置換デバイスを拡張位置に固定するステップと、
を含み、前記椎体置換デバイスは、
内部空洞を画定する第１の筐体と、
前記第１の筐体の内部空洞の少なくとも一部の中に入れ子になる第２の筐体であって、前記第２の筐体は、長手方向に沿って移動可能であり、前記椎体置換デバイスの高さを増加させ、前記第１の筐体は、前記第２の筐体に対して拡張方向に移動することができる、第２の筐体と、
第１の骨接触表面を有する第１の骨接触部材と、
第２の骨接触表面を有する第２の骨接触部材と、
を備える、方法。
（項目１８）
前記第２の筐体および第１の筐体は、骨移植片材料の留置のための移植片空洞を画定し、前記方法はさらに、前記移植片空洞を骨成長助長材料で詰めるステップを含む、項目１７に記載の方法。
（項目１９）
前記第１の骨接触部材は、前記第１の筐体の上部の一部に枢動可能に接続され、前記第１の骨接触部材が、前方向または後方向のいずれかに角形成されることを可能にし、前記第２の骨接触部材は、前記第２の筐体の下部の一部に枢動可能に接続され、前記第２の骨接触部材が、前方向または後方向のいずれかに角形成されることを可能にする、項目１７に記載の方法。
（項目２０）
椎体置換デバイスであって、
内部空洞を画定し、内部歯状表面を有する、外側筐体と、
前記外側筐体の内部空洞の少なくとも一部の中に入れ子になる内側筐体であって、長手方向に沿って移動可能であり、前記椎体置換デバイスの高さを増加させる、内側筐体と、
前記内側筐体の一部と取り外し可能に係合可能である保持部材であって、前記外側筐体の内部歯状表面にカム作用され、かつそれに相補的である、少なくとも１つの外側縁部を画定し、前記内側筐体と係合して位置付けられるとき、前記椎体置換デバイスの収縮を防止しながら、前記椎体置換デバイスの拡張を可能にする、保持部材と、
上側骨接触表面を有する上側骨接触部材と、
下側骨接触表面を有する下側骨接触部材と、
を備える、デバイス。
（項目２１）
前記内側筐体および外側筐体は、骨移植片材料の留置のための移植片空洞を画定する、項目２０に記載の椎体置換デバイス。
（項目２２）
前記上側骨接触部材は、前記外側筐体の上部の一部に枢動可能に接続され、前記上側骨接触部材が、前方向または後方向のいずれかに角形成されることを可能にする、項目２０に記載の椎体置換デバイス。
（項目２３）
前記下側骨接触部材は、前記内側筐体の下部の一部に枢動可能に接続され、前記下側骨接触部材が、前記前方向または後方向のいずれかに角形成されることを可能にする、項目２０に記載の椎体置換デバイス。
（項目２４）
前記上側接触部材および下側骨接触部材のうちの少なくとも１つは、前記それぞれの上側骨接触部材または下側骨接触部材を所望の角度位置に係止するための手段を備える、項目２３に記載の椎体置換デバイス。
（項目２５）
前記それぞれの上側骨接触部材または下側骨接触部材を所望の角度位置に係止するための前記手段は、前記それぞれの骨接触部材と前記それぞれの骨接触部材が接続される前記筐体との間に、取り外し可能に位置付けられるように構成される、楔合部材を備える、項目２４に記載の椎体置換デバイス。
（項目２６）
前記上側接触表面および下側接触表面のうちの少なくとも１つは、隣接骨構造に係合するように構成される、複数の表面突起部を画定する、項目２０に記載の椎体置換デバイス。
（項目２７）
前記複数の表面突起部は、非展開状態から移動することができる、スパイクであり、実質的に、前記スパイクの全ては、展開状態に対して、前記それぞれの接触表面の下方にあり、前記スパイクの少なくとも一部は、前記それぞれの接触表面の上方に延在する、項目２６に記載の椎体置換デバイス。
（項目２８）
前記スパイクを展開するための手段をさらに備える、項目２７に記載の椎体置換デバイス。
（項目２９）
椎体を置換するための方法であって、
所望の運動区画にアクセスするステップと、
所望の椎体を除去するステップと、
前記除去された椎体の代わりに、拡張可能な椎体置換デバイスを位置付けるステップと、
前記拡張可能な椎体置換デバイスを拡張するステップと、
前記拡張可能な椎体置換デバイスを前記拡張位置に固定するステップと、
を含み、前記椎体置換デバイスは、
内部空洞を画定し、内部歯状表面を有する、外側筐体と、
前記外側筐体の内部空洞の少なくとも一部の中に入れ子になる内側筐体であって、長手方向に沿って移動可能であり、前記椎体置換デバイスの高さを増加させる、内側筐体と、
前記内側筐体の一部と取り外し可能に係合可能である保持部材であり、前記外側筐体の内部歯状表面にカム作用され、かつそれに相補的である、少なくとも１つの外側縁部を画定し、前記内側筐体と係合して位置付けられるとき、前記椎体置換デバイスの収縮を防止しながら、前記椎体置換デバイスの拡張を可能にする、保持部材と、
上側骨接触表面を有する上側骨接触部材と、
下側骨接触表面を有する下側骨接触部材と、
を備える、方法。
（項目３０）
前記内側筐体および外側筐体は、骨移植片材料の留置のための移植片空洞を画定し、前記方法はさらに、前記移植片空洞を骨成長助長材料で詰めるステップを含む、項目２９に記載の方法。
（項目３１）
前記上側骨接触部材は、前記外側筐体の上部の一部に枢動可能に接続され、前記上側骨接触部材が、前方向または後方向のいずれかに角形成されることを可能にし、前記下側骨接触部材は、内側筐体の下部の一部に枢動可能に接続され、前記下側骨接触部材が、前方向または後方向のいずれかに角形成されることを可能にし、前記方法はさらに、前記上側骨接触部材および下側骨接触部材のうちの少なくとも１つの前湾角度を固定するステップを含む、項目２９に記載の方法。
（項目３２）
椎体を置換するためのシステムであって、前記システムは、
拡張可能な椎体置換デバイスであって、
内部空洞を画定し、内部歯状表面を有する、外側筐体と、
前記外側筐体の内部空洞の少なくとも一部の中に入れ子になる内側筐体であって、長手方向に沿って移動可能であり、前記拡張可能な椎体置換デバイスの高さを増加させる、内側筐体と、
前記内側筐体の一部と取り外し可能に係合可能である保持部材であって、前記外側筐体の内部歯状表面にカム作用され、かつそれに相補的である、少なくとも１つの外側縁部を画定し、前記内側筐体と係合して位置付けられるとき、前記拡張可能な椎体置換デバイスの収縮を防止しながら、前記椎体置換デバイスの拡張を可能にする、保持部材と、
上側骨接触表面を有する上側骨接触部材と、
下側骨接触表面を有する下側骨接触部材と、
を備える、拡張可能椎体置換デバイスと、
椎体置換拡張ツールと、
を備える、システム。
（項目３３）
前記内側筐体および外側筐体は、骨移植片材料の留置のための移植片空洞を画定する、項目３２に記載のシステム。
（項目３４）
前記上側骨接触部材は、前記外側筐体の上部の一部に枢動可能に接続され、前記上側骨接触部材が、前方向または後方向のいずれかに角形成されることを可能にし、前記下側骨接触部材は、前記内側筐体の下部の一部に枢動可能に接続され、前記下側骨接触部材が、前方向または後方向のいずれかに角形成されることを可能にする、項目３２に記載のシステム。
（項目３５）
前記椎体置換拡張ツールは、
第１のハンドルおよび対向する第２のハンドルを有する作動部材であって、前記第１のハンドルおよび第２のハンドルは、蝶着点において蝶着結合され、前記蝶着点は、前記第１のハンドルおよび第２のハンドルのそれぞれの近位端と遠位端との間に位置付けられる、作動部材と、
前記作動部材に結合される平準化部材であって、上側平準化部材および下側平準化部材を有し、前記上側平準化部材および下側平準化部材は、剪刀部材によって分離かつ接続され、前記剪刀部材は、実質的に、それらの中間区分にピン留めされる、第１の剪刀アームおよび第２の剪刀アームを備え、前記第１の剪刀アームの近位端は、前記上側平準化部材の近位端にピン留めされ、前記第１の剪刀アームの遠位端は、摺動関係において、前記下側平準化部材内に画定される伸長スロットに係合するように構成されるピンを備え、前記第２の剪刀アームの近位端は、前記下側平準化部材の近位端にピン留めされ、前記第２の剪刀アームの遠位端は、前記上側平準化部材の近位端が前記下側平準化部材の近位端から分離されるにつれて、前記上側平準化部材の遠位端もまた、前記下側平準化部材の遠位端から高められ、かつ等しく分離されるように、摺動関係において、前記上側平準化部材内に画定される伸長スロットに係合するように構成されるピンを備える、平準化部材と、
を備える、項目３４に記載のシステム。
（項目３６）
前記第１のハンドルの遠位端は、前記上側平準化部材の近位端に蝶着接続され、前記第２のハンドルの遠位端は、前記下側平準化部材の近位端に蝶着接続されることができる、項目３５に記載のシステム。
（項目３７）
前記上側平準化部材および下側平準化部材の遠位端は、それぞれ、フォークを備え、前記拡張可能な椎体置換デバイスの部分に係合し、それによって、使用時、第１の分離位置から第２の圧縮位置までの前記作動部材のハンドルの圧縮は、前記平準化部材を相互に実質的に隣接する位置から分離位置まで移動させる、項目３５に記載のシステム。